(57)【要約】【課題】  陰茎を微妙な加減で圧迫することで、効率的に精子を採取することが出来る精子採取器を提供する。【解決手段】  陰茎が挿入可能な挿入口と挿入道とを有する柔軟な素材から成る筒状体が、前記挿入道の周壁を内側へ締め付けるためのものであって前記柔軟な素材から成る筒状体を押すための突起が内向きに形成された締付具を備えている。締付具を掛ける筒状体上の位置を移動させることで陰茎に与える刺激を変化させることが出来る。使用者は陰茎を圧迫する位置を自由に調節することが可能である。【選択図】図１
0003172168.tif 000002
【実用新案登録請求の範囲】
【請求項１】
陰茎が挿入可能な挿入口と挿入道とを有する柔軟な素材から成る筒状体が、前記挿入道の周壁を内側へ締め付けるためのものであって前記柔軟な素材から成る筒状体を押すための突起が内向きに形成された、締付具を備えていることを特徴とする、採取性能を高めた精子採取器。
【請求項２】
前記筒状体に前記締付具を取り付けるための溝が形成されている請求項１に記載の採取性能を高めた精子採取器。
【考案の詳細な説明】
【技術分野】
【０００１】  この考案は陰茎に与える刺激を可変として、精子の採取性能を高めた精子採取器に関するものである。
【背景技術】
【０００２】  従来の精子採取器は、医療用のシリコンゴムなどを素材とする柔軟な筒状体の先端部分を閉じて陰茎の挿入部と精子溜とを形成したものが一般的である。このものを陰茎に被せて、長手方向に往復運動させることにより陰茎に摩擦刺激を加えて、精子を精子溜に採取することが出来る。なお筒状体の先端部分が開放されたものにあっては、この部位に或いは陰茎そのものにコンドームを被せるなどして精液を採取するようにしている。【０００３】  図１で表したものは、柔軟な医療用のゴムを用いて成型された筒状体７の外側に、この筒状体７より幾分堅目の医療用のゴムを用いて成型されたシェル８が被せられている点が特徴である。筒状体７にはその長手方向の一端部に挿入口７０が開口されており、そこから筒状体７の内部の長手方向に向けて挿入道７１が設けられており、この筒状体７が挿入口８０を有する空洞のシェル８内に挿着されている。またシェル８の外周壁には複数個の溝８１が形成されており、この何れかの溝８１にシェル８や筒状体７を締め付けるためのゴム環９がはめ込まれるようになっている。溝８１は複数個あり、この内の何れかに１つまたは２つ３つのゴム環９を填めるのであるが、使用してみて精子採取のためには気持ち良く感ずる陰茎の部位が見つかったならば、その位置に合う溝８１にゴム環９を填めるのがよい。この位置は採取中に変えることができる。【０００４】  次に図２で表したものは、柔軟な医療用のゴムを用いて成型された筒状体７２の外側にこの筒状体７２より幾分堅目の医療用のゴムを用いて成型されたシェル８２が被せられている。このシェル８２の内側の２ヵ所にはシェル８２を一周する突起９１が設けられているが、突起９１によって刺激する陰茎の部位を変更し得るように突起９１の位置を可変とすべくシェル８２の内周壁にはネジ山８５が螺刻されており、一方このネジ山８５に螺合可能なネジ山９２を有してシェル８２の内周壁を移動可能に設けた可動筒９０の内周壁には前記突起９１が突設されている。このような可動筒９０を２つシェル８２に螺合させている。さらにシェル８２の外周壁には複数個の溝８４が形成されており、この何れかの溝８４にゴム環９３がはめ込まれるようになっている。なお筒状体７２には、その長手方向の一端部に挿入口７３が開口されており、そこから筒状体７２の内部の長手方向に向けて挿入道７４が設けられており、この筒状体７２が挿入口８３を有する空洞のシェル８２内に挿着されている。従って前記２つの可動筒９０をシェル８２の挿入口８３から回して、使用者の好みの位置に調節してから、前記柔軟な筒状体７２を挿入口８３より挿着する。このようにして突起９１によるより強い圧迫を加える位置を自由に調節することができるのである。【０００５】  実登３１５６０９４号の精子採取器は、柔軟で弾力性を有するシリコンゴム等の素材からなる筒状部１とこの周りを覆う合成樹脂性のケース２とを具えており、このケース２はその長手方向の複数箇所に開口部２０を有し、この開口部２０に、フランジ部３０を備えてフランジ部３０がケース２の内側から前記開口部２０の縁部に掛かるようにした押圧具３を、前記筒状部１を指圧し得るように且つ筒状部１の弾力によって元の位置に戻る���うに設けた点に特徴を有するものである。押圧具３を指で押すと、この押圧具３が筒状部１を押して筒状部１が潰れ、陰茎に圧力を加えることが出来る。この時押圧具３を押す力を加減することによって陰茎に与える刺激を変化させることが出来る。また押圧具３は個別に、複数箇所に設けられているため、刺激を加える陰茎の部位を自由に変え得る点が特徴である。
【先行技術文献】
【特許文献】
【０００６】
【特許文献１】実登３１５６０９４号公報
【考案の概要】
【考案が解決しようとする課題】
【０００７】  図１のものは断面が円形のゴム環９でシェル８や筒状体７を締め付けるものであるが、締め付ける力が比較的に弱いと感じる場合がある。これに対して図２のものは可動筒９０に突設された突起９１が柔軟な筒状体７２に、より強い圧迫力を加えることができる。【０００８】  しかしながら図２のものは、確かに可動筒９０の突起９１によって、筒状体７２をより強い圧迫力で押すことができる利点はあるものの突起９１の位置調節に際してはその都度可動筒９０をシェル８２の挿入口８３から回して、使用者の好みの位置に調節してから、前記柔軟な筒状体７２を挿入口８３より挿着する作業を要するため、位置調節作業が幾分面倒に感じられる使用者も出て来る。実登３１５６０９４号はこの点で優れているものであるが、押圧具３周りの組み付け構造が複雑で、製造コストが高くなると言う問題が指摘されている。従ってより簡単な構成で図２のものが持つような効果を得ることが出来ればなお良いであろう。そこでこの考案の目的は上述したような問題点を解決した新しい精子採取器を提供することにある。
【課題を解決するための手段】
【０００９】  このためこの考案の採取性能を高めた精子採取器は、陰茎が挿入可能な挿入口と挿入道とを有する柔軟な素材から成る筒状体が、前記挿入道の周壁を内側へ締め付けるためのものであって前記柔軟な素材から成る筒状体を押すための突起が内向きに形成された、締付具を備えている点に特徴を有する。締付具の弾力性によってそれが掛けられた部位の筒状体が内側へ締め付けられるのであるが、特に締付具に突起を設けたため、突起部分で筒状体を比較的に強く締め付けることができる。しかも構造が簡単で製造コストが安くなると言う利点がある。【００１０】  弾力性を有するところの前記締付具にはゴム素材を加工した物を用いることができる。なお前記筒状体の周りにさらに、この筒状体より幾分堅目の医療用のゴムを用いて成型したシェルを被せ、このシェルの周りを前記締付具で締め付けるように構成しても良い。【００１１】  また前記筒状体に前記締付具を取り付けるための溝が形成されているものとすることができる。この溝によって段階的にではあるが締付具の移動と位置合わせが楽なものとなる効果がある。なおシェルを設ける場合では、このシェルに前記溝を形成するようにすると良い。
【考案の効果】
【００１２】  この考案の採取性能を高めた精子採取器は、より強い圧迫力を得るために必要な構造がシンプルであるから、製造が容易で安価に提供することが出来る。また締め付ける位置の調節作業が容易になっている点も重要である。
【図面の簡単な説明】
【００１３】
【図１】  従来例１を断面視して表した説明図である。
【図２】  従来例２を断面視して表した説明図である。
【図３】  実施例１を断面視して表した説明図である。
【図４】  実施例２を断面視して表した説明図である。
【考案を実施するための形態】
【００１４】  以下ではこの考案の精子採取器の２つの実施例を図面に基づいて説明するが、この考案はこれ等に限定されるものではなく、この考案の思想の範囲内で工夫される種々変形例もまたこの考案の権利範囲に含まれるものである。
【実施例１】
【００１５】  図３を用いてこの実施例を説明する。柔軟な医療用のゴムを用いて成型された筒状体１の外側に、この筒状体１より幾分堅目の医療用のゴムを用いて成型されたシェル２が被せられている。筒状体１にはその長手方向の一端部に挿入口１０が開口されておりそこから筒状体１の内部の長手方向に向けて挿入道１１が設けられており、この筒状体１が挿入口２０を有する空洞のシェル２内に挿着されている。このシェル２の外周壁にはゴム環であるところの締付具３がテンションを伴うようにして掛けられている。この締付具３の内側には環状に突起３０が形成されている。【００１６】  筒状体１もシェル２も、その柔らかさに違いがあるものの何れも柔軟であるため、陰茎を挿入口１０から挿入道１１内へ安心して挿入することができる。潤滑クリームを挿入道１１内に塗っても良い。またシェル２は筒状体１よりも幾分堅目に作られているため手で握りやすいものとなっている。なお締付具３は滑り止めにもなる。【００１７】  シェル１は外周部に掛けられた締付具３の特に突起３０部分で内側に圧迫されるため、この弾性力は筒状体１をくびれさせて筒状体１の挿入道１１にくびれ部１２が形成され、その力が陰茎に加えられることになる。なお実施例１の構成からシェル２部分を省略して締付具３を直接筒状体１に掛けるような構成例も可能である（図示せず）。
【実施例２】
【００１８】  次に図４を用いてこの実施例を説明する。柔軟な医療用のゴムを用いて成型された筒状体１３の外側に、この筒状体１３より幾分堅目の医療用のゴムを用いて成型されたシェル２１が被せられている。筒状体１３にはその長手方向の一端部に挿入口１４が開口されており、そこから筒状体１３の内部の長手方向に向けて挿入道１５が設けられており、この筒状体１３が挿入口２２を有する空洞のシェル２１内に挿着されている。またシェル２１の外周壁には５個の溝２３が形成されており、この何れかの溝２３にゴム環であるところの締付具３がはめ込まれるようになっている。この締付具３の内側には環状に突起３０が形成されている。【００１９】  こうしてシェル２１の外周壁、殊には溝２３には締付具３がテンションを伴うようにして掛けられ、突起３０が押す力は筒状体１３をくびれさせて、挿入道１５にくびれ部１６が形成される。締付具３を掛ける部位は溝２３でなくとも良いが、溝２３があることによって掛ける部位の変更が感触的に分かりやすいと言う効果を奏する。なお実施例２の構成からシェル２１部分を省略して締付具３を直接筒状体１３に掛けるような構成例も実現し得る（図示せず）。
【産業上の利用可能性】
【００２０】  この考案の筒状体やシェルや挿入口や挿入道の形状は任意に設計して良い。挿入道の壁面に波構造を持たせたり細かい突起を設けるなどの工夫も可能である。締付具やその突起を環状ではなくコイル状にしても良い。各部の素材に付いても任意選択が可能である。
【図１】
0003172168.tif 000003
【図２】
0003172168.tif 000004
【図３】
0003172168.tif 000005
【図４】
0003172168.tif 000006